(57)【特許請求の範囲】
【請求項１】
無線通信システムにおいて複数のセルで構成されたＵＥ（Ｕｓｅｒ  Ｅｑｕｉｐｍｅｎｔ）によって制御情報を受信する方法であって、前記方法は、
前記ＵＥによって、第１のＳＣｅｌｌ（Ｓｅｃｏｎｄａｒｙ  Ｃｅｌｌ）を介して、ＲＡＣＨ（Ｒａｎｄｏｍ  Ａｃｃｅｓｓ  Ｃｈａｎｎｅｌ）プリアンブルを送信することと、
前記ＲＡＣＨプリアンブルに対する応答として、前記ＵＥによって、ＰＣｅｌｌ（Ｐｒｉｍａｒｙ  Ｃｅｌｌ）を介して、アップリンクリソース割当情報を含むＲＡＲ（Ｒａｎｄｏｍ  Ａｃｃｅｓｓ  Ｒｅｓｐｏｎｓｅ）を受信することと、
前記アップリンクリソース割当情報に基づいて、前記ＵＥによって、前記第１のＳＣｅｌｌを介して、アップリンク信号を送信することと、
前記ＵＥによって、前記第１のＳＣｅｌｌをスケジューリングするように構成された第２のＳＣｅｌｌを介して、前記アップリンク信号に対する受信応答情報を受信することと
を含む、方法。
【請求項２】
前記ＲＡＲを受信することは、
前記ＰＣｅｌｌの共通検索空間を介して、ダウンリンクリソース割当情報を含むＰＤＣＣＨ（Ｐｈｙｓｉｃａｌ  Ｄｏｗｎｌｉｎｋ  Ｃｏｎｔｒｏｌ  Ｃｈａｎｎｅｌ）を受信することと、
前記ダウンリンクリソース割当情報に基づいて、前記ＲＡＲを含むＰＤＳＣＨ（Ｐｈｙｓｉｃａｌ  Ｄｏｗｎｌｉｎｋ  Ｓｈａｒｅｄ  Ｃｈａｎｎｅｌ）を受信することと
を含む、請求項１に記載の方法。
【請求項３】
前記第２のＳＣｅｌｌを介して、別のアップリンクリソース割当情報を含むＰＤＣＣＨを受信することと、
前記別のアップリンクリソース割当情報に基づいて、前記第１のＳＣｅｌｌを介して、別のアップリンク信号を送信することと、
前記第２のＳＣｅｌｌを介して、前記別のアップリンク信号に対する受信応答情報を受信することと
をさらに含む、請求項１に記載の方法。
【請求項４】
前記第２のＳＣｅｌｌは、前記第１のＳＣｅｌｌのためのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を有するＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＵＥがモニタリングするために構成されたＳＣｅｌｌである、請求項１に記載の方法。
【請求項５】
前記第１のＳＣｅｌｌおよび前記第２のＳＣｅｌｌは、異なるＳＣｅｌｌである、請求項１に記載の方法。
【請求項６】
前記第１のＳＣｅｌｌおよび前記第２のＳＣｅｌｌは、同一のＳＣｅｌｌである、請求項１に記載の方法。
【請求項７】
前記ＰＣｅｌｌは、第１のＴＡ（Ｔｉｍｉｎｇ  Ａｄｖａｎｃｅ）グループに属し、前記第１のＳＣｅｌｌは、前記第１のＴＡグループとは異なる第２のＴＡグループに属する、請求項１に記載の方法。
【請求項８】
無線通信システムにおいて使用されるＵＥ（Ｕｓｅｒ  Ｅｑｕｉｐｍｅｎｔ）であって、前記ＵＥは、
ＲＦ（Ｒａｄｉｏ  Ｆｒｅｑｕｅｎｃｙ）ユニットと、
前記ＲＦユニットに動作可能に接続されたプロセッサと
を含み、
前記プロセッサは、
第１のＳＣｅｌｌ（Ｓｅｃｏｎｄａｒｙ  Ｃｅｌｌ）を介して、ＲＡＣＨ（Ｒａｎｄｏｍ  Ａｃｃｅｓｓ  Ｃｈａｎｎｅｌ）プリアンブルを送信することと、
前記ＲＡＣＨプリアンブルに対する応答として、ＰＣｅｌｌ（Ｐｒｉｍａｒｙ  Ｃｅｌｌ）を介して、アップリンクリソース割当情報を含むＲＡＲ（Ｒａｎｄｏｍ  Ａｃｃｅｓｓ  Ｒｅｓｐｏｎｓｅ）を受信することと、
前記アップリンクリソース割当情報に基づいて、前記第１のＳＣｅｌｌを介して、アップリンク信号を送信することと、
前記第１のＳＣｅｌｌをスケジューリングするように構成された第２のＳＣｅｌｌを介して、前記アップリンク信号に対する受信応答情報を受信することと
を行うように構成される、ＵＥ。
【請求項９】
前記ＲＡＲを受信することは、
前記ＰＣｅｌｌの共通検索空間を介して、ダウンリンクリソース割当情報を含むＰＤＣＣＨ（Ｐｈｙｓｉｃａｌ  Ｄｏｗｎｌｉｎｋ  Ｃｏｎｔｒｏｌ  Ｃｈａｎｎｅｌ）を受信することと、
前記ダウンリンクリソース割当情報に基づいて、前記ＲＡＲを含むＰＤＳＣＨ（Ｐｈｙｓｉｃａｌ  Ｄｏｗｎｌｉｎｋ  Ｓｈａｒｅｄ  Ｃｈａｎｎｅｌ）を受信することと
を含む、請求項８に記載のＵＥ。
【請求項１０】
前記プロセッサは、
前記第２のＳＣｅｌｌを介して、別のアップリンクリソース割当情報を含むＰＤＣＣＨを受信することと、
前記別のアップリンクリソース割当情報に基づいて、前記第１のＳＣｅｌｌを介して、別のアップリンク信号を送信することと、
前記第２のＳＣｅｌｌを介して、前記別のアップリンク信号に対する受信応答情報を受信することと
を行うように構成される、請求項８に記載のＵＥ。
【請求項１１】
前記第２のＳＣｅｌｌは、前記第１のＳＣｅｌｌのためのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を有するＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＵＥがモニタリングするために構成されたＳＣｅｌｌである、請求項８に記載のＵＥ。
【請求項１２】
前記第１のＳＣｅｌｌおよび前記第２のＳＣｅｌｌは、異なるＳＣｅｌｌである、請求項８に記載のＵＥ。
【請求項１３】
前記第１のＳＣｅｌｌおよび前記第２のＳＣｅｌｌは、同一のＳＣｅｌｌである、請求項８に記載のＵＥ。
【請求項１４】
前記ＰＣｅｌｌは、第１のＴＡ（Ｔｉｍｉｎｇ  Ａｄｖａｎｃｅ）グループに属し、前記第１のＳＣｅｌｌは、前記第１のＴＡグループとは異なる第２のＴＡグループに属する、請求項８に記載のＵＥ。
【請求項１５】
無線通信システムにおいて複数のセルで構成された基地局によって制御情報を送信する方法であって、前記方法は、
ＢＳによって、第１のＳＣｅｌｌ（Ｓｅｃｏｎｄａｒｙ  Ｃｅｌｌ）を介して、ＲＡＣＨ（Ｒａｎｄｏｍ  Ａｃｃｅｓｓ  Ｃｈａｎｎｅｌ）プリアンブルを受信することと、
前記ＲＡＣＨプリアンブルに対する応答として、前記ＢＳによって、ＰＣｅｌｌ（Ｐｒｉｍａｒｙ  Ｃｅｌｌ）を介して、アップリンクリソース割当情報を含むＲＡＲ（Ｒａｎｄｏｍ  Ａｃｃｅｓｓ  Ｒｅｓｐｏｎｓｅ）を送信することと、
前記アップリンクリソース割当情報に基づいて、前記ＢＳによって、前記第１のＳＣｅｌｌを介して、アップリンク信号を受信することと、
前記ＢＳによって、前記第１のＳＣｅｌｌをスケジューリングするように構成された第２のＳＣｅｌｌを介して、前記アップリンク信号に対する受信応答情報を送信することと
を含む、方法。
【請求項１６】
前記ＲＡＲを送信することは、
前記ＰＣｅｌｌの共通検索空間を介して、ダウンリンクリソース割当情報を含むＰＤＣＣＨ（Ｐｈｙｓｉｃａｌ  Ｄｏｗｎｌｉｎｋ  Ｃｏｎｔｒｏｌ  Ｃｈａｎｎｅｌ）を送信することと、
前記ダウンリンクリソース割当情報に基づいて、前記ＲＡＲを含むＰＤＳＣＨ（Ｐｈｙｓｉｃａｌ  Ｄｏｗｎｌｉｎｋ  Ｓｈａｒｅｄ  Ｃｈａｎｎｅｌ）を送信することと
を含む、請求項１５に記載の方法。
【請求項１７】
前記第２のＳＣｅｌｌを介して、別のアップリンクリソース割当情報を含むＰＤＣＣＨを送信することと、
前記別のアップリンクリソース割当情報に基づいて、前記第１のＳＣｅｌｌを介して、別のアップリンク信号を受信することと、
前記第２のＳＣｅｌｌを介して、前記別のアップリンク信号に対する受信応答情報を送信することと
をさらに含む、請求項１５に記載の方法。
【請求項１８】
前記第２のＳＣｅｌｌは、前記第１のＳＣｅｌｌのためのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を有するＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＢＳが送信するために構成されたＳＣｅｌｌである、請求項１５に記載の方法。
【請求項１９】
前記第１のＳＣｅｌｌおよび前記第２のＳＣｅｌｌは、異なるＳＣｅｌｌである、請求項１５に記載の方法。
【請求項２０】
前記第１のＳＣｅｌｌおよび前記第２のＳＣｅｌｌは、同一のＳＣｅｌｌである、請求項１５に記載の方法。
【請求項２１】
前記ＰＣｅｌｌは、第１のＴＡ（Ｔｉｍｉｎｇ  Ａｄｖａｎｃｅ）グループに属し、前記第１のＳＣｅｌｌは、前記第１のＴＡグループとは異なる第２のＴＡグループに属する、請求項１５に記載の方法。
【請求項２２】
無線通信システムにおいて使用されるＢＳ（Ｂａｓｅ  Ｓｔａｔｉｏｎ）であって、前記ＢＳは、
ＲＦ（Ｒａｄｉｏ  Ｆｒｅｑｕｅｎｃｙ）ユニットと、
前記ＲＦユニットに動作可能に接続されたプロセッサと
を含み、
前記プロセッサは、
第１のＳＣｅｌｌ（Ｓｅｃｏｎｄａｒｙ  Ｃｅｌｌ）を介して、ＲＡＣＨ（Ｒａｎｄｏｍ  Ａｃｃｅｓｓ  Ｃｈａｎｎｅｌ）プリアンブルを受信することと、
前記ＲＡＣＨプリアンブルに対する応答として、ＰＣｅｌｌ（Ｐｒｉｍａｒｙ  Ｃｅｌｌ）を介して、アップリンクリソース割当情報を含むＲＡＲ（Ｒａｎｄｏｍ  Ａｃｃｅｓｓ  Ｒｅｓｐｏｎｓｅ）を送信することと、
前記アップリンクリソース割当情報に基づいて、前記第１のＳＣｅｌｌを介して、アップリンク信号を受信することと、
前記第１のＳＣｅｌｌをスケジューリングするように構成された第２のＳＣｅｌｌを介して、前記アップリンク信号に対する受信応答情報を送信することと
を行うように構成される、ＢＳ。
【請求項２３】
前記ＲＡＲを送信することは、
前記ＰＣｅｌｌの共通検索空間を介して、ダウンリンクリソース割当情報を含むＰＤＣＣＨ（Ｐｈｙｓｉｃａｌ  Ｄｏｗｎｌｉｎｋ  Ｃｏｎｔｒｏｌ  Ｃｈａｎｎｅｌ）を送信することと、
前記ダウンリンクリソース割当情報に基づいて、前記ＲＡＲを含むＰＤＳＣＨ（Ｐｈｙｓｉｃａｌ  Ｄｏｗｎｌｉｎｋ  Ｓｈａｒｅｄ  Ｃｈａｎｎｅｌ）を送信することと
を含む、請求項２２に記載のＢＳ。
【請求項２４】
前記プロセッサは、
前記第２のＳＣｅｌｌを介して、別のアップリンクリソース割当情報を含むＰＤＣＣＨを送信することと、
前記別のアップリンクリソース割当情報に基づいて、前記第１のＳＣｅｌｌを介して、別のアップリンク信号を受信することと、
前記第２のＳＣｅｌｌを介して、前記別のアップリンク信号に対する受信応答情報を送信することと
を行うように構成される、請求項２２に記載のＢＳ。
【請求項２５】
前記第２のＳＣｅｌｌは、前記第１のＳＣｅｌｌのためのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を有するＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＢＳが送信するために構成されたＳＣｅｌｌである、請求項２２に記載のＢＳ。
【請求項２６】
前記第１のＳＣｅｌｌおよび前記第２のＳＣｅｌｌは、異なるＳＣｅｌｌである、請求項２２に記載のＢＳ。
【請求項２７】
前記第１のＳＣｅｌｌおよび前記第２のＳＣｅｌｌは、同一のＳＣｅｌｌである、請求項２２に記載のＢＳ。
【請求項２８】
前記ＰＣｅｌｌは、第１のＴＡ（Ｔｉｍｉｎｇ  Ａｄｖａｎｃｅ）グループに属し、前記第１のＳＣｅｌｌは、前記第１のＴＡグループとは異なる第２のＴＡグループに属する、請求項２２に記載のＢＳ。
【発明の詳細な説明】
【技術分野】
【０００１】
本発明は、無線通信システムに係り、特に、ＣＡ（Ｃａｒｒｉｅｒ  Ａｇｇｒｅｇａｔｉｏｎ）−ベースの無線通信システムにおいてランダムアクセス過程を行う方法及び装置に関する。
【背景技術】
【０００２】
無線通信システムが音声やデータなどのような種々の通信サービスを提供するために広範囲に展開されている。一般に、無線通信システムは、可用システムリソース（帯域幅、送信電力など）を共有して複数ユーザとの通信をサポートできる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、ＣＡベースの無線通信システムにおいてランダムアクセス過程を效率よく行う方法及びそのための装置を提供することにある。本発明の他の目的は、ランダムアクセス過程に伴う制御情報（例、受信応答情報）を效率よく送信／受信するための方法及びそのための装置を提供することにある。
【０００４】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【０００５】
本発明の一態様として、キャリアアグリゲーション（ＣＡ）ベースの無線通信システムにおいて複数のセルが構成された端末が制御情報を受信する方法であって、第１セルを通じて、第２セルのためのアップリンクリソース割当情報を受信することと、前記アップリンクリソース割当情報を用いて、前記第２セル上でアップリンク信号を送信することと、前記アップリンク信号に対する受信応答情報を受信することと、を含み、前記アップリンク信号がランダムアクセス過程によって送信された場合、前記受信応答情報は前記第１セル以外の特定セルを通じて受信され、前記アップリンク信号が非ランダムアクセス過程によって送信された場合、前記受信応答情報は前記第１セルを通じて受信される方法が提供される。
【０００６】
本発明の他の態様として、キャリアアグリゲーション（ＣＡ）ベースの無線通信システムに用いるための端末であって、無線周波数（ＲＦ）ユニットと、プロセッサと、を備え、前記プロセッサは、第１セルを通じて、第２セルのためのアップリンクリソース割当情報を受信し、前記アップリンクリソース割当情報を用いて、前記第２セル上でアップリンク信号を送信し、前記アップリンク信号に対する受信応答情報を受信するように構成され、前記アップリンク信号がランダムアクセス過程によって送信された場合、前記受信応答情報は、前記第１セル以外の特定セルを通じて受信され、前記アップリンク信号が非ランダムアクセス過程によって送信された場合、前記受信応答情報は、前記第１セルを通じて受信される端末が提供される。
【０００７】
好適には、前記第１セルはＰＣｅｌｌ（Ｐｒｉｍａｒｙ  Ｃｅｌｌ）であり、前記第２セルはＳＣｅｌｌ（Ｓｅｃｏｎｄａｒｙ  Ｃｅｌｌ）である。
【０００８】
好適には、前記特定セルは、前記第２セルをスケジューリングするように設定されたＳＣｅｌｌである。
【０００９】
好適には、前記特定セルは、前記第２セルのために、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を有するＰＤＣＣＨ（Ｐｈｙｓｉｃａｌ  Ｄｏｗｎｌｉｎｋ  Ｃｏｎｔｒｏｌ  Ｃｈａｎｎｅｌ）信号をモニタリングするように設定されたＳＣｅｌｌである。
【００１０】
好適には、前記第２セル及び前記特定セルは、互いに異なるＳＣｅｌｌである。
【００１１】
好適には、前記第２セル及び前記特定セルは、互いに同一のＳＣｅｌｌである。
【００１２】
好適には、前記第１セルは第１のＴＡ（Ｔｉｍｉｎｇ  Ａｄｖａｎｃｅ）グループに属して、前記第２セルは第２のＴＡグループに属し、前記第１のＴＡグループ及び前記第２のＴＡグループは互いに異なる。
例えば、本願発明は以下の項目を提供する。
（項目１）
キャリアアグリゲーション（ＣＡ）ベースの無線通信システムにおいて複数のセルが構成された端末が制御情報を受信する方法であって、
第１セルを通じて、第２セルのためのアップリンクリソース割当情報を受信することと、
前記アップリンクリソース割当情報を用いて、前記第２セル上でアップリンク信号を送信することと、
前記アップリンク信号に対する受信応答情報を受信することと、
を含み、
前記アップリンク信号がランダムアクセス過程によって送信された場合、前記受信応答情報は、前記第１セル以外の特定セルを通じて受信され、
前記アップリンク信号が非ランダムアクセス過程によって送信された場合、前記受信応答情報は、前記第１セルを通じて受信される方法。
（項目２）
前記第１セルは、ＰＣｅｌｌ（Ｐｒｉｍａｒｙ  Ｃｅｌｌ）であり、前記第２セルは、ＳＣｅｌｌ（Ｓｅｃｏｎｄａｒｙ  Ｃｅｌｌ）である、項目１に記載の方法。
（項目３）
前記特定セルは、前記第２セルをスケジューリングするように設定されたＳＣｅｌｌである、項目２に記載の方法。
（項目４）
前記特定セルは、前記第２セルのために、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を有するＰＤＣＣＨ（Ｐｈｙｓｉｃａｌ  Ｄｏｗｎｌｉｎｋ  Ｃｏｎｔｒｏｌ  Ｃｈａｎｎｅｌ）信号をモニタリングするように設定されたＳＣｅｌｌである、項目２に記載の方法。
（項目５）
前記第２セル及び前記特定セルは、互いに異なるＳＣｅｌｌである、項目２に記載の方法。
（項目６）
前記第２セル及び前記特定セルは、互いに同一のＳＣｅｌｌである、項目２に記載の方法。
（項目７）
前記第１セルは第１のＴＡ（Ｔｉｍｉｎｇ  Ａｄｖａｎｃｅ）グループに属し、前記第２セルは第２のＴＡグループに属し、前記第１のＴＡグループ及び前記第２のＴＡグループは互いに異なる、項目２に記載の方法。
（項目８）
キャリアアグリゲーション（ＣＡ）ベースの無線通信システムに用いるための端末であって、
無線周波数（ＲＦ）ユニットと、
プロセッサと、
を備え、
前記プロセッサは、
第１セルを通じて、第２セルのためのアップリンクリソース割当情報を受信し、
前記アップリンクリソース割当情報を用いて、前記第２セル上でアップリンク信号を送信し、
前記アップリンク信号に対する受信応答情報を受信するように構成され、
前記アップリンク信号がランダムアクセス過程によって送信された場合、前記受信応答情報は、前記第１セル以外の特定セルを通じて受信され、
前記アップリンク信号が非ランダムアクセス過程によって送信された場合、前記受信応答情報は前記第１セルを通じて受信される、端末。
（項目９）
前記第１セルはＰＣｅｌｌであり、前記第２セルはＳＣｅｌｌである、項目８に記載の端末。
（項目１０）
前記特定セルは、前記第２セルをスケジューリングするように設定されたＳＣｅｌｌである、項目９に記載の端末。
（項目１１）
前記特定セルは、前記第２セルのために、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を有するＰＤＣＣＨ（Ｐｈｙｓｉｃａｌ  Ｄｏｗｎｌｉｎｋ  Ｃｏｎｔｒｏｌ  Ｃｈａｎｎｅｌ）信号をモニタリングするように設定されたＳＣｅｌｌである、項目９に記載の端末。
（項目１２）
前記第２セル及び前記特定セルは、互いに異なるＳＣｅｌｌである、項目９に記載の端末。
（項目１３）
前記第２セル及び前記特定セルは、互いに同一のＳＣｅｌｌである、項目９に記載の端末。
（項目１４）
前記第１セルは第１のＴＡグループに属し、前記第２セルは第２のＴＡグループに属し、前記第１のＴＡグループ及び前記第２のＴＡグループは互いに異なる、項目９に記載の端末。
【発明の効果】
【００１３】
本発明によれば、ＣＡベースの無線通信システムにおいてランダムアクセス過程を效率よく行うことができる。また、ランダムアクセス過程に伴う制御情報（例、受信応答情報）を效率よく送信／受信することができる。
【００１４】
本発明で得られる効果は、以上で言及した効果に制限されず、言及していない他の効果は、下の記載から、本発明の属する技術の分野における通常の知識を有する者には明確に理解されるであろう。
【図面の簡単な説明】
【００１５】
本発明に関する理解を助けるために詳細な説明の一部として含まれる添付図面は、本発明に係る実施例を提供し、詳細な説明と共に本発明の技術的思想を説明する。
【図１】図１は、無線通信システムの一例である３ＧＰＰ  ＬＴＥ（−Ａ）システムに用いられる物理チャネル及びこれらのチャネルを用いた一般的な信号送信方法を例示する図である。
【図２】図２は、無線フレーム（ｒａｄｉｏ  ｆｒａｍｅ）の構造を例示する図である。
【図３】図３は、ダウンリンクスロットのリソースグリッド（ｒｅｓｏｕｒｃｅ  ｇｒｉｄ）を例示する図である。
【図４】図４は、ダウンリンクサブフレームの構造を示す図である。
【図５】図５は、アップリンクサブフレームの構造を例示する図である。
【図６Ａ】図６Ａ及び図６Ｂは、ランダムアクセス過程を例示する図である。
【図６Ｂ】図６Ａ及び図６Ｂは、ランダムアクセス過程を例示する図である。
【図７】図７は、アップリンク−ダウンリンクフレームタイミングを例示する図である。
【図８】図８は、キャリアアグリゲーション（ＣＡ）通信システムを例示する図である。
【図９】図９は、クロスキャリアスケジューリング（ｃｒｏｓｓ−ｃａｒｒｉｅｒ  ｓｃｈｅｄｕｌｉｎｇ）を例示する図である。
【図１０】図１０は、ＵＬ同期が異なる複数ＣＣ（Ｃｏｍｐｏｎｅｎｔ  Ｃａｒｒｉｅｒ）が束ねられた場合を例示する図である。
【図１１】図１１は、複数のＴＡを用いてＵＬ信号を送信する状況を例示する図である。
【図１２】図１２は、ＳＣＣ（Ｓｅｃｏｎｄａｒｙ  Ｃｏｍｐｏｎｅｎｔ  Ｃａｒｒｉｅｒ）ランダムアクセス過程を例示する図である。
【図１３】図１３は、ＳＣＣランダムアクセス過程において本発明に係るＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）送信例を示す図である。
【図１４】図１４は、本発明に係る一般化したＰＨＩＣＨ送信例を示す図である。
【図１５】図１５は、本発明に適用することができる基地局及び端末を例示する図である。
【発明を実施するための形態】
【００１６】
以下の技術は、ＣＤＭＡ、ＦＤＭＡ、ＴＤＭＡ、ＯＦＤＭＡ、ＳＣ−ＦＤＭＡなどのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現することができる。。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって実現することができる。。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ＬＴＥ−Ａ（Ａｄｖａｎｃｅｄ）は、３ＧＰＰ  ＬＴＥの進展したバージョンである。説明を明確にするために、３ＧＰＰ  ＬＴＥ／ＬＴＥ−Ａを中心に記述するが、本発明の技術的思想がこれに制限されることはない。
【００１７】
無線通信システムにおいて、端末は基地局からダウンリンク（ＤＬ）を通じて情報を受信し、端末は基地局にアップリンク（ＵＬ）を通じて情報を送信する。基地局及び端末が送受信する情報は、データ及び様々な制御情報を含み、これらが送受信する情報の種類／用途に応じて様々な物理チャネルが存在する。
【００１８】
図１は、３ＧＰＰ  ＬＴＥ（−Ａ）システムに用いられる物理チャネル及びこれらのチャネルを用いた一般的な信号送信方法を説明するための図である。
【００１９】
電源が切られた状態から再び電源が入ったり、セルに新しく進入したりした端末は、段階Ｓ１０１において、基地局と同期を取る等の初期セル探索（Ｉｎｉｔｉａｌ  ｃｅｌｌ  ｓｅａｒｃｈ）作業を行う。そのために、端末は基地局から１次同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び２次同期チャネル（ＳｅｃｏｎｄａｒｙＳｙｎｃｈｒｏｎｉｚａｔｉｏｎＣｈａｎｎｅｌ；Ｓ−ＳＣＨ）を受信して基地局と同期を取り、セルＩＤ（ｃｅｌｌ  ｉｄｅｎｔｉｔｙ）などの情報を取得する。その後、端末は、基地局から物理同報チャネル（Ｐｈｙｓｉｃａｌ  Ｂｒｏａｄｃａｓｔ  Ｃｈａｎｎｅｌ；ＰＢＣＨ）を受信してセル内の同報情報を取得することができる。一方、端末は、初期セル探索段階においてダウンリンク参照信号（Ｄｏｗｎｌｉｎｋ  Ｒｅｆｅｒｅｎｃｅ  Ｓｉｇｎａｌ；ＤＬ  ＲＳ）を受信してダウンリンクチャネル状態を確認することができる。
【００２０】
初期セル探索を終えた端末は、段階Ｓ１０２において、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該物理ダウンリンク制御チャネル情報に対応する物理ダウンリンク共有チャネル（Ｐｈｙｓｉｃａｌ  Ｄｏｗｎｌｉｎｋ  Ｓｈａｒｅｄ  Ｃｈａｎｎｅｌ；ＰＤＳＣＨ）を受信し、より具体的なシステム情報を取得することができる。
【００２１】
その後、端末は基地局への接続を確立するために、段階Ｓ１０３乃至段階Ｓ１０６のようなランダムアクセス手順（Ｒａｎｄｏｍ  Ａｃｃｅｓｓ  Ｐｒｏｃｅｄｕｒｅ）を行うことができる。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じてプリアンブルを送信し（Ｓ１０３）、物理ダウンリンク制御チャネル及びこれに対応する物理ダウンリンク共有チャネルを通じて、プリアンブルに対する応答メッセージを受信することができる（Ｓ１０４）。競合ベースのランダムアクセスでは、追加の物理ランダムアクセスチャネルの送信（Ｓ１０５）、及び物理ダウンリンク制御チャネル及びこれに対応する物理ダウンリンク共有チャネルの受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２２】
以上の手順を行った端末は、以降、一般的なアップリンク／ダウンリンク信号送信手順として、物理ダウンリンク制御チャネル／物理ダウンリンク共有チャネルの受信（Ｓ１０７）及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ１０８）を行うことができる。端末が基地局に送信する制御情報を総称してアップリンク制御情報（Ｕｐｌｉｎｋ  Ｃｏｎｔｒｏｌ  Ｉｎｆｏｒｍａｔｉｏｎ；ＵＣＩ）とする。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、主にＰＵＣＣＨを通じて送信するが、制御情報及びトラフィックデータが同時に送信されるべき場合にはＰＵＳＣＨを通じて送信することもある。また、ネットワークの要請／指示によってＰＵＳＣＨを通じてＵＣＩを非周期的に送信することもある。
【００２３】
図２に、無線フレーム（ｒａｄｉｏ  ｆｒａｍｅ）の構造を例示する。アップリンク／ダウンリンクデータパケットの送信は、サブフレーム単位に行われ、サブフレームは、複数のシンボルを含む時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム構造、及びＴＤＤ（Ｔｉｍｅ  Ｄｉｖｉｓｉｏｎ  Ｄｕｐｌｅｘ）に適用可能なタイプ２の無線フレーム構造をサポートする。
【００２４】
図２（ａ）には、タイプ１の無線フレームの構造を例示する。ダウンリンク無線フレームは、１０個のサブフレームで構成され、１個のサブフレームは時間ドメイン（ｔｉｍｅ  ｄｏｍａｉｎ）において２個のスロットで構成される。１個のサブフレームを送信するためにかかる時間をＴＴＩ（ｔｒａｎｓｍｉｓｓｉｏｎ  ｔｉｍｅ  ｉｎｔｅｒｖａｌ）という。例えば、１個のサブフレームの長さは１ｍｓであり、１個のスロットの長さは０．５ｍｓである。１個のスロットは、時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムではダウンリンクにおいてＯＦＤＭを用いるため、ＯＦＤＭシンボルが１個のシンボル区間を表す。ＯＦＤＭシンボルはＳＣ−ＦＤＭＡシンボル又はシンボル区間と呼ばれることもある。リソース割当単位としてのリソースブロック（ＲＢ）は、１個のスロットにおいて複数の連続した副搬送波（ｓｕｂｃａｒｒｉｅｒ）を含むことができる。
【００２５】
スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１個のスロットに含まれるＯＦＤＭシンボルの数は７個であってよい。ＯＦＤＭシンボルが拡張ＣＰによって構成された場合は、１個のＯＦＤＭシンボルの長さが増加するため、１個のスロットに含まれるＯＦＤＭシンボルの数は、正規ＣＰの場合に比べて少なくなる。例えば、拡張ＣＰの場合、１個のスロットに含まれるＯＦＤＭシンボルの数は６個であってよい。端末が速い速度で移動する等の場合のようにチャネル状態が不安定な場合は、シンボル間干渉をより低減するために拡張ＣＰを用いることができる。
【００２６】
正規ＣＰが用いられる場合、スロットは７個のＯＦＤＭシンボルを含むため、サブフレームは１４個のＯＦＤＭシンボルを含む。サブフレーム先頭の最大３個のＯＦＤＭシンボルはＰＤＣＣＨに割り当て、残りのＯＦＤＭシンボルはＰＤＳＣＨに割り当てることができる。
【００２７】
図２（ｂ）にはタイプ２の無線フレームの構造を例示する。タイプ２の無線フレームは、２個のハーフフレーム（ｈａｌｆ  ｆｒａｍｅ）で構成される。ハーフフレームは４（５）個の一般サブフレーム及び１（０）個のスペシャルサブフレームを含む。一般サブフレームは、ＵＬ−ＤＬ構成（Ｕｐｌｉｎｋ−Ｄｏｗｎｌｉｎｋ  Ｃｏｎｆｉｇｕｒａｔｉｏｎ）によってアップリンク又はダウンリンクに用いられる。サブフレームは２個のスロットで構成される。
【００２８】
表１は、ＵＬ−ＤＬ構成による無線フレーム内のサブフレーム構成を例示する。
【００２９】
【表１】
0005996721.tif 000002
【００３０】
表中、Ｄはダウンリンクサブフレームを、Ｕはアップリンクサブフレームを、Ｓはスペシャルサブフレームを表す。スペシャルサブフレームは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは、端末での初期セル探索、同期化、又はチャネル推定に用いられる。ＵｐＰＴＳは、基地局でのチャネル推定と端末のアップリンク送信同期を取るのに用いられる。保護区間は、アップリンクとダウンリンク間にダウンリンク信号の多重経路遅延によってアップリンクで生じる干渉を除去するための区間である。
【００３１】
無線フレームの構造は例示に過ぎず、無線フレームにおいてサブフレームの数、スロットの数、シンボルの数は、様々に変更することができる。
【００３２】
図３に、ダウンリンクスロットのリソースグリッドを例示する。
【００３３】
図３を参照すると、ダウンリンクスロットは、時間ドメインにおいて複数のＯＦＤＭシンボルを含む。ここでは、１個のダウンリンクスロットが７個のＯＦＤＭシンボルを含み、１個のリソースブロック（ＲＢ）が周波数ドメインにおいて１２個の副搬送波を含むとした。しかし、本発明がこれに制限されるものではない。リソースグリッド上でそれぞれの要素はリソース要素（Ｒｅｓｏｕｒｃｅ  Ｅｌｅｍｅｎｔ、ＲＥ）と呼ばれる。１個のＲＢは１２×７個のＲＥを含む。ダウンリンクスロットに含まれたＲＢの個数ＮＤＬは、ダウンリンク送信帯域に依存する。アップリンクスロットの構造はダウンリンクスロットの構造と同一であってもよい。
【００３４】
図４に、ダウンリンクサブフレームの構造を例示する。
【００３５】
図４を参照すると、サブフレーム内において１番目のスロットの先頭における最大３（４）個のＯＦＤＭシンボルが、制御チャネルの割り当てられる制御領域に該当する。残りのＯＦＤＭシンボルは、ＰＤＳＣＨの割り当てられるデータ領域に該当する。データ領域の基本リソース単位はＲＢである。ＬＴＥで用いられるダウンリンク制御チャネルの例には、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ、ＰＨＩＣＨなどがある。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、アップリンク送信に対する応答であり、ＨＡＲＱ  ＡＣＫ／ＮＡＣＫ信号を運ぶ。ＰＤＣＣＨを通じて送信される制御情報はＤＣＩ（ｄｏｗｎｌｉｎｋ  ｃｏｎｔｒｏｌ  ｉｎｆｏｒｍａｔｉｏｎ）と呼ばれる。ＤＣＩは、アップリンク又はダウンリンクスケジューリング情報又は任意の端末グループのためのアップリンク送信電力制御命令（Ｔｒａｎｓｍｉｔ  ＰｏｗｅｒＣｏｎｔｒｏｌ  Ｃｏｍｍａｎｄ）を含む。
【００３６】
ＰＤＣＣＨを通じて送信される制御情報をＤＣＩと呼ぶ。ＤＣＩフォーマットは、アップリンク用にフォーマット０、３、３Ａ、４が、ダウンリンク用にフォーマット１、１Ａ、１Ｂ、１Ｃ、１Ｄ、２、２Ａ、２Ｂ、２Ｃなどが定義されている。ＤＣＩフォーマットによって情報フィールドの種類、情報フィールドの個数、各情報フィールドのビット数などが異なってくる。例えば、ＤＣＩフォーマットは、用途によって、ホップフラグ（ｈｏｐｐｉｎｇ  ｆｌａｇ）、ＲＢ指定（ａｓｓｉｇｎｍｅｎｔ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、ＨＡＲＱプロセス番号、ＰＭＩ確認（ｃｏｎｆｉｒｍａｔｉｏｎ）などの情報を選択的に含む。そのため、ＤＣＩフォーマットによって、ＤＣＩフォーマットに整合する制御情報のサイズが異なってくる。一方、任意のＤＣＩフォーマットを２種類以上の制御情報の送信に用いることができる。例えば、ＤＣＩフォーマット０／１ＡをＤＣＩフォーマット０又はＤＣＩフォーマット１を運ぶのに用い、これらはフラグフィールド（ｆｌａｇ  ｆｉｅｌｄ）によって区別する。
【００３７】
ＰＤＣＣＨはＤＬ−ＳＣＨ（ｄｏｗｎｌｉｎｋ  ｓｈａｒｅｄ  ｃｈａｎｎｅｌ）の送信フォーマット及びリソース割当、ＵＬ−ＳＣＨ（ｕｐｌｉｎｋ  ｓｈａｒｅｄ  ｃｈａｎｎｅｌ）に関するリソース割当情報、ＰＣＨ（ｐａｇｉｎｇ  ｃｈａｎｎｅｌ）に関するページング情報、ＤＬ−ＳＣＨ上のシステム情報（ｓｙｓｔｅｍ  ｉｎｆｏｒｍａｔｉｏｎ）、ＰＤＳＣＨ上で送信されるランダムアクセス応答のような上位層制御メッセージのリソース割当情報、任意の端末グループ内における個別端末への送信電力制御命令、ＶｏＩＰ（ｖｏｉｃｅ  ｏｖｅｒ  ＩＰ）の活性化（ａｃｔｉｖａｔｉｏｎ）などを運ぶ。制御領域内で複数のＰＤＣＣＨが送信されることがあり、端末は複数のＰＤＣＣＨをモニタリングすることができる。ＰＤＣＣＨは一つ又は複数の連続したＣＣＥ（ｃｏｎｓｅｃｕｔｉｖｅ  ｃｏｎｔｒｏｌ  ｃｈａｎｎｅｌ  ｅｌｅｍｅｎｔ）の集合（ａｇｇｒｅｇａｔｉｏｎ）上で送信される。ＣＣＥは、無線チャネルの状態によって所定符号率（ｃｏｄｉｎｇ  ｒａｔｅ）のＰＤＣＣＨを提供するために用いられる論理的割当単位である。ＣＣＥは複数のＲＥＧ（ｒｅｓｏｕｒｃｅ  ｅｌｅｍｅｎｔ  ｇｒｏｕｐ）に対応する。ＰＤＣＣＨのフォーマット及び可用のＰＤＣＣＨのビット数は、ＣＣＥの個数とＣＣＥによって提供される符号率間の相間関係によって決定される。基地局は、端末に送信するＤＣＩによってＰＤＣＣＨフォーマットを決定し、ＣＲＣ（ｃｙｃｌｉｃ  ｒｅｄｕｎｄａｎｃｙ  ｃｈｅｃｋ）を制御情報に付加する。ＣＲＣは、ＰＤＣＣＨの所有者又は使用用途によって唯一識別子（ＲＮＴＩ（ｒａｄｉｏ  ｎｅｔｗｏｒｋ  ｔｅｍｐｏｒａｒｙ  ｉｄｅｎｔｉｆｉｅｒ）と称する）でマスキングされる。ＰＤＣＣＨが特定端末のためのものであれば、当該端末の唯一識別子（例、Ｃ−ＲＮＴＩ（ｃｅｌｌ−ＲＮＴＩ））がＣＲＣにマスキングされる。他の例として、ＰＤＣＣＨがページングメッセージのためのものであれば、ページング指示識別子（例、Ｐ−ＲＮＴＩ（ｐａｇｉｎｇ−ＲＮＴＩ））がＣＲＣにマスキングされる。ＰＤＣＣＨがシステム情報（より具体的に、後述するＳＩＢ（ｓｙｓｔｅｍ  ｉｎｆｏｒｍａｔｉｏｎ  ｂｌｏｃｋ））に関するものであれば、システム情報識別子（例、ＳＩ−ＲＮＴＩ（ｓｙｓｔｅｍ  ｉｎｆｏｒｍａｔｉｏｎ  ＲＮＴＩ））がＣＲＣにマスキングされる。端末のランダムアクセスプリアンブルの送信に対する応答であるランダムアクセス応答を指示するためにはＲＡ−ＲＮＴＩ（ｒａｎｄｏｍ  ａｃｃｅｓｓ−ＲＮＴＩ）がＣＲＣにマスキングされる。
【００３８】
ＰＤＣＣＨは、ＤＣＩと知られたメッセージを運び、ＤＣＩは一つの端末又は端末グループのためのリソース割当及び他の制御情報を含む。一般に、複数のＰＤＣＣＨが一つのサブフレーム内で送信される。それぞれのＰＤＣＣＨは一つ以上のＣＣＥ（Ｃｏｎｔｒｏｌ  Ｃｈａｎｎｅｌ  Ｅｌｅｍｅｎｔ）を用いて送信され、それぞれのＣＣＥは、９セットの４個のリソース要素に対応する。４個のリソース要素はＲＥＧ（Ｒｅｓｏｕｒｃｅ  Ｅｌｅｍｅｎｔ  Ｇｒｏｕｐ）と呼ばれる。４個のＱＰＳＫシンボルが１個のＲＥＧにマップされる。参照信号に割り当てられたリソース要素はＲＥＧに含まれないため、与えられたＯＦＤＭシンボル内でＲＥＧの総個数はセル−特定（ｃｅｌｌ−ｓｐｅｃｉｆｉｃ）参照信号の存在有無によって異なる。ＲＥＧ概念（すなわち、グループ単位マップ、各グループは４個のリソース要素を含む）は他のダウンリンク制御チャネル（ＰＣＦＩＣＨ及びＰＨＩＣＨ）にも用いられる。すなわち、ＲＥＧは制御領域の基本リソース単位として用いられる。４個のＰＤＣＣＨフォーマットが表２のようにサポートされる。
【００３９】
【表２】
0005996721.tif 000003
【００４０】
連続的に番号を付けてＣＣＥを使用し、デコーディングプロセスを単純化するために、ｎ  ＣＣＥｓで構成されたフォーマットを持つＰＤＣＣＨは、ｎの倍数に相当する数を持つＣＣＥでのみ始めることができる。特定ＰＤＣＣＨの送信のために用いられるＣＣＥの個数は、チャネル条件によって基地局で決定する。例えば、ＰＤＣＣＨが良い（例、基地局に近接している）ダウンリンクチャネルを持つ端末のためのものであれば、一つのＣＣＥでも充分であろう。しかし、ＰＤＣＣＨが悪い（例、セル境界に近接している）ダウンリンクチャネルを持つ端末のためのものであれば、充分のロバスト（ｒｏｂｕｓｔｎｅｓｓ）を得るために、８個のＣＣＥを使用することができる。また、ＰＤＣＣＨの電力レベルをチャネル条件に応じて調節することもできる。
【００４１】
ＬＴＥに導入された方案は、それぞれの端末のためにＰＤＣＣＨが位置できる制限されたセットのＣＣＥ位置を定義することである。端末が自身のＰＤＣＣＨを検索できる制限されたセットのＣＣＥ位置を検索空間（Ｓｅａｒｃｈ  Ｓｐａｃｅ；ＳＳ）と呼ぶことができる。ＬＴＥにおいて、検索空間はそれぞれのＰＤＣＣＨフォーマットによって異なるサイズを有する。また、ＵＥ−特定（ＵＥ−ｓｐｅｃｉｆｉｃ）及び共通（ｃｏｍｍｏｎ）検索空間が別途に定義される。ＵＥ−特定検索空間（ＵＥ−Ｓｐｅｃｉｆｉｃ  Ｓｅａｒｃｈ  Ｓｐａｃｅ；ＵＳＳ）は各端末のために個別に設定され、共通検索空間（Ｃｏｍｍｏｎ  Ｓｅａｒｃｈ  Ｓｐａｃｅ；ＣＳＳ）の範囲は全ての端末に知らされる。ＵＥ−特定及び共通検索空間は、与えられた端末に対してオーバーラップすることがある。非常に小さい検索空間を有していると、特定端末のための検索空間で一部のＣＣＥ位置が割り当てられた場合に残るＣＣＥがないため、与えられたサブフレーム内で基地局は可能な全ての端末にＰＤＣＣＨを送信するＣＣＥリソースを探すことができないことがある。このようなブロッキングが次のサブフレームにも続く可能性を最小化するために、ＵＥ−特定検索空間の開始位置に端末−特定ホップシーケンスが適用される。
【００４２】
表３は、共通及びＵＥ−特定検索空間のサイズを示すものである。
【００４３】
【表３】
0005996721.tif 000004
【００４４】
ブラインドデコーディング（Ｂｌｉｎｄ  Ｄｅｃｏｄｉｎｇ；ＢＤ）の総回数による計算負荷を統制下に置くために、定義された全てのＤＣＩフォーマットを同時に検索するように端末に要求することはない。一般に、ＵＥ−特定検索空間内で端末は常にフォーマット０及び１Ａを検索する。フォーマット０及び１Ａは、互いに同一のサイズを有し、メッセージ内のフラグによって区別される。また、追加フォーマットを受信するように端末に要求することもある（例、基地局で設定されたＰＤＳＣＨ送信モードによって１、１Ｂ又は２）。共通検索空間で端末はフォーマット１Ａ及び１Ｃをサーチする。また、端末はフォーマット３又は３Ａをサーチするように設定されることもある。フォーマット３及び３Ａは、フォーマット０及び１Ａと同じサイズを有し、端末−特定識別子よりは、互いに異なる（共通）識別子でＣＲＣをスクランブルすることによって区別することができる。送信モードによるＰＤＳＣＨ送信手法、及びＤＣＩフォーマットの情報コンテンツを、次に述べる。
【００４５】
（送信モード（Ｔｒａｎｓｍｉｓｓｉｏｎ  Ｍｏｄｅ；ＴＭ））
●送信モード１：単一基地局アンテナポートからの送信
●送信モード２：送信ダイバーシティ
●送信モード３：開ループ空間多重化
●送信モード４：閉ループ空間多重化
●送信モード５：複数ユーザＭＩＭＯ
●送信モード６：閉ループランク−１プリコーディング
●送信モード７：単一アンテナポート（ポート５）送信
●送信モード８：二重レイヤー送信（ポート７及び８）又は単一アンテナポート（ポート７又は８）送信
●送信モード９：最大８個のレイヤー送信（ポート７〜１４）又は単一アンテナポート（ポート７又は８）送信
（ＤＣＩフォーマット）
●フォーマット０：ＰＵＳＣＨ送信（アップリンク）のためのリソースグラント
●フォーマット１：単一コードワードＰＤＳＣＨ送信（送信モード１、２及び７）のためのリソース割当
●フォーマット１Ａ：単一コードワードＰＤＳＣＨ（全てのモード）のためのリソース割当のコンパクトシグナリング
●フォーマット１Ｂ：ランク−１閉ループプリコーディングを用いるＰＤＳＣＨ（モード６）のためのコンパクトリソース割当
●フォーマット１Ｃ：ＰＤＳＣＨ（例、ページング／ブロードキャストシステム情報）のための非常にコンパクトなリソース割当
●フォーマット１Ｄ：複数ユーザＭＩＭＯを用いるＰＤＳＣＨ（モード５）のためのコンパクトリソース割当
●フォーマット２：閉ループＭＩＭＯ動作のＰＤＳＣＨ（モード４）のためのリソース割当
●フォーマット２Ａ：開ループＭＩＭＯ動作のＰＤＳＣＨ（モード３）のためのリソース割当
●フォーマット３／３Ａ：ＰＵＣＣＨ及びＰＵＳＣＨのために２ビット／１ビットの電力調整値を持つ電力制御命令
図５に、アップリンクサブフレームの構造を例示する。
【００４６】
図５を参照すると、アップリンクサブフレームは、複数（例、２個）のスロットを含む。スロットは、ＣＰ長によって異なる数のＳＣ−ＦＤＭＡシンボルを含むことができる。一例として、正規ＣＰの場合、スロットは７個のＳＣ−ＦＤＭＡシンボルを含むことができる。アップリンクサブフレームは周波数ドメインでデータ領域と制御領域とに区別される。データ領域は、ＰＵＳＣＨを含み、音声などのデータ信号を送信するために用いられる。制御領域は、ＰＵＣＣＨを含み、制御情報を送信するために用いられる。ＰＵＣＣＨは、周波数軸においてデータ領域の両端部に位置しているＲＢ対（ＲＢ  ｐａｉｒ）（例、ｍ＝０，１，２，３）を含み、スロットを境界にホップする。制御情報は、ＨＡＲＱ  ＡＣＫ／ＮＡＣＫ、ＣＱＩ、ＰＭＩ、ＲＩなどを含む。
【００４７】
次に、ランダムアクセス過程について説明する。ランダムアクセス過程は、ＲＡＣＨ（Ｒａｎｄｏｍ  Ａｃｃｅｓｓ  Ｃｈａｎｎｅｌ）過程とも呼ばれる。ランダムアクセス過程は、初期接続、アップリンク同期調整、リソース割当、ハンドオーバーなどの用途に様々に用いられる。ランダムアクセス過程は、競合ベース（ｃｏｎｔｅｎｔｉｏｎ−ｂａｓｅｄ）過程と、専用（ｄｅｄｉｃａｔｅｄ）（すなわち、非競合ベース）過程とに分類される。競合ベースランダムアクセス過程は、初期接続を含めて一般的に用いられ、専用ランダムアクセス過程はハンドオーバーなどに制限的に用いられる。競合ベースランダムアクセス過程において端末はＲＡＣＨプリアンブルシーケンスをランダムに選択する。そのため、複数の端末が同時に同一のＲＡＣＨプリアンブルシーケンスを送信することができ、このことから、以降、競合解消過程が必要となる。これに対し、専用ランダムアクセス過程において端末は、基地局が当該端末に唯一に割り当てたＲＡＣＨプリアンブルシーケンスを用いる。そのため、他の端末との衝突無しでランダムアクセス過程を行うことが可能である。
【００４８】
図６Ａ及び図６Ｂは、ランダムアクセス過程をそれぞれ例示する。図６Ａは、競合ベースランダムアクセス過程を示し、図６Ｂは専用ランダムアクセス過程を示している。
【００４９】
図６Ａを参照すると、競合ベースランダムアクセス過程は、次の４段階を含む。以下、段階１〜４で送信されるメッセージをそれぞれメッセージ（Ｍｓｇ）１〜４と呼ぶことができる。
【００５０】
−  段階１：ＲＡＣＨプリアンブル（ｖｉａ  ＰＲＡＣＨ）（端末＝＞基地局）
−  段階２：ランダムアクセス応答（Ｒａｎｄｏｍ  Ａｃｃｅｓｓ  Ｒｅｓｐｏｎｓｅ；ＲＡＲ）（ｖｉａ  ＰＤＣＣＨ及びＰＤＳＣＨ）（基地局＝＞端末）
−  段階３：Ｌａｙｅｒ  ２／Ｌａｙｅｒ  ３メッセージ（ｖｉａ  ＰＵＳＣＨ）（端末＝＞基地局）
−  段階４：競合解消（ｃｏｎｔｅｎｔｉｏｎ  ｒｅｓｏｌｕｔｉｏｎ）メッセージ（基地局＝＞端末）
図６Ｂを参照すると、専用ランダムアクセス過程は、次の３段階を含む。以下、段階０〜２で送信されるメッセージをそれぞれメッセージ（Ｍｓｇ）０〜２と呼ぶことができる。図示してはいないが、ランダムアクセス過程の一部として、ＲＡＲに対応するアップリンク送信（すなわち、段階３）を行うこともできる。専用ランダムアクセス過程は、基地局がＲＡＣＨプリアンブル送信を命令する用途のＰＤＣＣＨ（以下、ＰＤＣＣＨオーダー（ｏｒｄｅｒ））を用いて起動（ｔｒｉｇｇｅｒ）することができる。
【００５１】
−  段階０：専用シグナリングを用いたＲＡＣＨプリアンブル割当（基地局＝＞端末）
−  段階１：ＲＡＣＨプリアンブル（ｖｉａ  ＰＲＡＣＨ）（端末＝＞基地局）
−  段階２：ランダムアクセス応答（ＲＡＲ）（ｖｉａ  ＰＤＣＣＨ及びＰＤＳＣＨ）（基地局＝＞端末）
ＲＡＣＨプリアンブルを送信した後、端末は、あらかじめ設定された時間ウィンドウ内でランダムアクセス応答（ＲＡＲ）の受信を試みる。具体的に、端末は、時間ウィンドウ内でＲＡ−ＲＮＴＩ（Ｒａｎｄｏｍ  Ａｃｃｅｓｓ  ＲＮＴＩ）を持つＰＤＣＣＨ（以下、ＲＡ−ＲＮＴＩ  ＰＤＣＣＨ）（例、ＰＤＣＣＨにおいてＣＲＣがＲＡ−ＲＮＴＩでマスキングされる）の検出を試みる。ＲＡ−ＲＮＴＩ  ＰＤＣＣＨ検出時に、端末は、ＲＡ−ＲＮＴＩ  ＰＤＣＣＨに対応するＰＤＳＣＨ内に、自身のためのＲＡＲが存在するか否かを確認する。ＲＡＲは、ＵＬ同期化のためのタイミングオフセット情報を示すタイミングアドバンス（Ｔｉｍｉｎｇ  Ａｄｖａｎｃｅ；ＴＡ）情報、ＵＬリソース割当情報（ＵＬグラント情報）、臨時端末識別子（例、Ｔｅｍｐｏｒａｒｙ  Ｃｅｌｌ−ＲＮＴＩ；ＴＣ−ＲＮＴＩ）などを含む。端末は、ＲＡＲ内のリソース割当情報及びＴＡ値に基づいてＵＬ送信（例、メッセージ３）を行うことができる。ＲＡＲに対応するＵＬ送信にはＨＡＲＱが適用される。したがって、端末は、メッセージ３を送信した後、メッセージ３に対応する受信応答情報（例、ＰＨＩＣＨ）を受信することができる。
【００５２】
図７は、アップリンク−ダウンリンクフレームのタイミング関係を例示する。
【００５３】
図７を参照すると、アップリンク無線フレームｉの送信は、該当のダウンリンク無線フレームよりも（ＮＴＡ＋ＮＴＡｏｆｆｓｅｔ）＊Ｔｓ秒の前に始まる。ＬＴＥシステムの場合、０≦ＮＴＡ≦２０５１２であり、ＦＤＤにおいてＮＴＡｏｆｆｓｅｔ＝０であり、ＴＤＤにおいてＮＴＡｏｆｆｓｅｔ＝６２４である。ＮＴＡｏｆｆｓｅｔ値は基地局と端末が事前に認知している値である。ランダムアクセス過程においてタイミングアドバンス命令を通じてＮＴＡが指示されると、端末は、ＵＬ信号（例、ＰＵＣＣＨ／ＰＵＳＣＨ／ＳＲＳ）の送信タイミングを、上の数式を用いて調整する。ＵＬ送信タイミングは１６Ｔｓの倍数に設定される。Ｔｓは、サンプリング時間を表し、例えば、１／３０７２０（ｍｓ）であってよい（図２参照）。タイミングアドバンス命令は、現ＵＬタイミングを基準にしてＵＬタイミングの変化を指示する。ランダムアクセス応答内のタイミングアドバンス命令（ＴＡ）は１１ビットであり、ＴＡは０，１，２，…，１２８２の値を表し、タイミング調整値（ＮＴＡ）は、ＮＴＡ＝ＴＡ＊１６で与えられる。その他の場合、タイミングアドバンス命令（ＴＡ）は６ビットであり、ＴＡは０，１，２，…，６３の値を表し、タイミング調整値（ＮＴＡ）は、ＮＴＡ，ｎｅｗ＝ＮＴＡ，ｏｌｄ＋（ＴＡ−３１）＊１６で与えられる。サブフレームｎで受信されたタイミングアドバンス命令はサブフレームｎ＋６から適用される。ＦＤＤの場合、図示のように、ＵＬサブフレームｎの送信時点はＤＬサブフレームｎの開始時点を基準にして早まる。一方、ＴＤＤの場合、ＵＬサブフレームｎの送信時点は、ＤＬサブフレームｎ＋１の終了時点を基準にして早まる（図示せず）。
【００５４】
図８は、キャリアアグリゲーション（ＣＡ）通信システムを例示する。
【００５５】
図８を参照すると、複数のアップリンク／ダウンリンクコンポーネントキャリア（ＣＣ）を束ねてより広いアップリンク／ダウンリンク帯域幅をサポートすることができる。それぞれのＣＣは周波数領域において互いに隣接してもよく、非隣接してもよい。各コンポーネントキャリアの帯域幅は、独立して定めることができる。ＵＬ  ＣＣの個数とＤＬＣＣの個数とが異なる非対照キャリアアグリゲーションも可能である。一方、制御情報は特定ＣＣのみを通じて送受信されるように設定してもよい。このような特定ＣＣを１次ＣＣと呼び、残りのＣＣを２次ＣＣと呼ぶことができる。一例として、クロスキャリアスケジューリング（ｃｒｏｓｓ−ｃａｒｒｉｅｒ  ｓｃｈｅｄｕｌｉｎｇ）（又はクロスＣＣスケジューリング）を適用する場合、ダウンリンク割当のためのＰＤＣＣＨは、ＤＬ  ＣＣ＃０で送信し、該当のＰＤＳＣＨはＤＬ  ＣＣ＃２で送信することができる。「コンポーネントキャリア」という用語は、等価の他の用語（例、キャリア、セルなど）に言い換えてもよい。
【００５６】
クロスＣＣスケジューリングのために、ＣＩＦ（ｃａｒｒｉｅｒ  ｉｎｄｉｃａｔｏｒ  ｆｉｅｌｄ）を用いる。ＰＤＣＣＨ内にＣＩＦの存在又は不在のための設定を半静的に端末−特定（又は端末グループ−特定）に上位層シグナリング（例、ＲＲＣシグナリング）によってイネーブル（ｅｎａｂｌｅ）することができる。ＰＤＣＣＨ送信の基本事項を下記のように整理することができる。
【００５７】
■ＣＩＦディスエイブルド（ｄｉｓａｂｌｅｄ）：ＤＬ  ＣＣ上のＰＤＣＣＨは、同一ＤＬ  ＣＣ上のＰＤＳＣＨリソース、及び単一のリンクされたＵＬ  ＣＣ上でのＰＵＳＣＨリソースを割り当てる。
【００５８】
●Ｎｏ  ＣＩＦ
■ＣＩＦイネイブルド（ｅｎａｂｌｅｄ）：ＤＬ  ＣＣ上のＰＤＣＣＨは、ＣＩＦを用いて、複数の束ねられたＤＬ／ＵＬ  ＣＣのうち一つのＤＬ／ＵＬ  ＣＣ上のＰＤＳＣＨ又はＰＵＳＣＨリソースを割り当てることができる。
【００５９】
●ＣＩＦを有するように拡張されたＬＴＥ  ＤＣＩフォーマット
−  ＣＩＦ（設定される場合）は、固定されたｘビットフィールド（例、ｘ＝３）
−  ＣＩＦ（設定される場合）位置は、ＤＣＩフォーマットサイズに関係なく固定される。
【００６０】
ＣＩＦ存在時に、基地局は端末側でのＢＤ複雑度を下げるためにモニタリングＤＬ  ＣＣ（セット）を割り当てることができる。ＰＤＳＣＨ／ＰＵＳＣＨスケジューリングのために、端末は、該当のＤＬ  ＣＣでのみＰＤＣＣＨの検出／デコーディングを行うことができる。また、基地局はモニタリングＤＬ  ＣＣ（セット）のみを通じてＰＤＣＣＨを送信することができる。モニタリングＤＬ  ＣＣセットは、端末−特定、端末グループ−特定、又はセル−特定の方式で設定することができる。
【００６１】
図９は、複数のキャリアが束ねられた場合のスケジューリングを例示する。３個のＤＬ  ＣＣが束ねられたと仮定する。ＤＬ  ＣＣ  ＡがＰＤＣＣＨ  ＣＣに設定されたと仮定する。ＤＬ  ＣＣ  Ａ〜Ｃは、サービングＣＣ、サービングキャリア、サービングセルなどと呼ぶことができる。ＣＩＦがディセーブルされると、それぞれのＤＬ  ＣＣは、ＬＴＥ  ＰＤＣＣＨ規則に従ってＣＩＦなしに自身のＰＤＳＣＨをスケジューリングするＰＤＣＣＨのみを送信することができる（非クロスＣＣスケジューリング）。これに対し、端末−特定（又は、端末グループ−特定又はセル−特定）上位層シグナリングによってＣＩＦがイネーブルされると、特定ＣＣ（例、ＤＬ  ＣＣ  Ａ）は、ＣＩＦを用いて、ＤＬ  ＣＣ  ＡのＰＤＳＣＨをスケジューリングするＰＤＣＣＨに加え、他のＣＣのＰＤＳＣＨをスケジューリングするＰＤＣＣＨも送信することができる（クロスＣＣスケジューリング）。一方、ＤＬ  ＣＣ  Ｂ／ＣではＰＤＣＣＨが送信されない。
【００６２】
クロスＣＣスケジューリングの場合、特定ＣＣ（すなわち、ＳＣＣ）で送信／受信されるＤＬ／ＵＬデータのスケジューリングのためのＤＬ／ＵＬグラントＰＤＣＣＨ及びＵＬデータに関するＡＣＫ／ＮＡＣＫ情報を特定ＣＣのみを通じて送信／受信できるように設定することができる。この特定ＣＣ（或いは、セル）をスケジューリングＣＣ（或いは、セル）又はモニタリングＣＣ（Ｍｏｎｉｔｏｒｉｎｇ  ＣＣ；ＭＣＣ）（或いは、セル）と呼ぶ。逆に、他のＣＣのＰＤＣＣＨによってＰＤＳＣＨ／ＰＵＳＣＨがスケジューリングされるＣＣ（或いは、セル）を被スケジューリング（ｓｃｈｅｄｕｌｅｄ）ＣＣ（或いは、セル）と呼ぶ。一つの端末に一つ以上のＭＣＣが設定されることがある。ＭＣＣはＰＣＣを含み、スケジューリングＣＣが一つのみ存在する場合、スケジューリングＣＣはＰＣＣと等価であってよい。本明細書でＭＣＣ（例、ＰＣＣ）とＳＣＣは互いにクロスＣＣスケジューリング関係にあると仮定し、一つ以上のＳＣＣが特定の一つのＭＣＣとクロスＣＣスケジューリング関係になるように設定することができる。
【００６３】
現在、クロスＣＣスケジューリングが設定された場合、それぞれの信号が送信されるＣＣは信号の種類によって次のように定義されている。
【００６４】
−  ＰＤＣＣＨ（ＵＬ／ＤＬグラント）：ＭＣＣ
−  ＰＤＳＣＨ／ＰＵＳＣＨ：ＭＣＣで検出されたＰＤＣＣＨのＣＩＦが指示するＣＣ
−  ＤＬ  ＡＣＫ／ＮＡＣＫ（ＰＨＩＣＨ）：ＭＣＣ
＊ＵＬ／ＤＬグラントＰＤＣＣＨのＣＲＣは、Ｃ−ＲＮＴＩでマスキングすることができる。
【００６５】
（実施例：複数のＴＡサポートのための方案）
端末が複数ＣＣを束ねる場合、ＬＴＥ−Ａシステムは、一つの特定ＣＣ（例、ＰＣＣ又はＰｃｅｌｌ）に適用可能なＴＡ値を複数ＣＣに共通に適用することを考慮する。しかし、以降、端末が異なる周波数バンドに属した（すなわち、周波数上で遠く離隔した）複数ＣＣ、或いは伝搬（ｐｒｏｐａｇａｔｉｏｎ）特性の異なる複数ＣＣを束ねる可能性がある。また、特定ＣＣの場合には、カバレッジ拡大、或いはカバレッジホールの除去のためにＲＲＨ（Ｒｅｍｏｔｅ  Ｒａｄｉｏ  Ｈｅａｄｅｒ）（すなわち、リピータ）のような装置がセル内に配置される状況を考慮できる。この場合、一つのＴＡ値を複数ＣＣに共通に適用する方式を用いてＵＬ送信を行うと、複数ＣＣ上で送信されるＵＬ信号の同期に深刻な影響を与えることがある。
【００６６】
図１０は、ＵＬ同期が異なる複数ＣＣが束ねられた場合を例示する。同図は、端末が２個のＣＣを束ねており、そのいずれか一方のＣＣ（ＣＣ１）は、制限されたカバレッジなどの理由からＲＲＨを用いて送受信をし、残り他方のＣＣ（ＣＣ２）は、ＲＲＨなしで基地局と直接通信をする状況である。この場合、端末からＣＣ１を通じて送信されるＵＬ信号の伝搬遅延（或いは、基地局での受信タイミング）とＣＣ２を通じて送信されるＵＬ信号の伝搬遅延（或いは、基地局での受信タイミング）とが、端末位置及び周波数特性などの理由から異なることがある。複数ＣＣが互いに異なる伝搬遅延特性を有する場合、複数ＴＡを有することが好ましい。
【００６７】
図１１は、端末が２個のＣＣ（例、ＰＣｅｌｌ（ＰＣＣ）とＳＣｅｌｌ（ＳＣＣ））を束ねており、各セルに対して異なったＴＡを適用してＵＬ信号を送信する状況を例示する。同図に示すように、ＰＣｅｌｌのＵＬ送信にＴＡ１を適用し、ＳＣｅｌｌのＵＬ送信にＴＡ２を適用することができる。同図は、ＤＬサブフレームの受信終了時点を基準に、ＵＬサブフレーム／信号（例、ＰＵＳＣＨ、ＰＵＣＣＨ、ＳＲＳなど）の送信終了時点をＴＡだけ早める場合を例示する。等価的に、ＤＬサブフレームの受信開始時点を基準に、ＵＬサブフレーム／信号（例、ＰＵＳＣＨ、ＰＵＣＣＨ、ＳＲＳなど）の送信開始時点をＴＡだけ早めることもできる。
【００６８】
したがって、ＣＣグループ（以下、ＴＡグループ）別に／単位にＴＡを独立して割り当てることを考慮することができる。ここで、ＴＡグループ（ＴＡ  Ｇｒｏｕｐ、ＴＡＧ）は、一つ以上のＣＣを含むことができる。ＴＡＧ内のＣＣには一つのＴＡを共通に適用することができる。ＰＣＣ（ＰＣｅｌｌ）の属したＴＡＧ（以下、ＴＡＧ＿ＰＣＣ）の場合、既存のようにＰＣＣを基準に決定される、或いはＰＣＣに伴うランダムアクセス過程を通じて調整されるＴＡを、ＴＡＧ＿ＰＣＣ内の全てのＣＣに適用することができる。一方、ＳＣＣ（ＳＣｅｌｌ）のみで構成されたＴＡＧ（以下、ＴＡＧ＿ＳＣＣ）の場合、ＴＡＧ＿ＳＣＣ内の特定ＳＣＣを基準に決定されるＴＡを、ＴＡＧ＿ＳＣＣ内の全てのＣＣに適用する方案を考慮することができる。そのために、従来とは違い、ＳＣＣを通じてもランダムアクセス過程を行うことが要求されることがある。ＳＣＣに伴うランダムアクセス過程は、端末が起動する競合ベース方式ではなく、基地局がＲＡＣＨプリアンブル送信を命令する用途のＰＤＣＣＨ（すなわち、ＰＤＣＣＨオーダー）を用いて起動する非競合ベース方式が適するだろう。
【００６９】
便宜上、ＰＤＣＣＨオーダーを用いた非競合ベースランダムアクセス過程に関して用語を整理すると、下記の通りである。
【００７０】
１）Ｍｓｇ０（メッセージ０）：ＲＡＣＨプリアンブル送信を命令するＰＤＣＣＨオーダー（基地局＝＞端末）
２）Ｍｓｇ１（メッセージ１）：ＰＤＣＣＨオーダーに対応するＲＡＣＨプリアンブル
（端末＝＞基地局）
３）Ｍｓｇ２（メッセージ２）：ランダムアクセス応答を含むＰＤＳＣＨ（以下、ＲＡＲ  ＰＤＳＣＨ）（基地局＝＞端末）。ランダムアクセス応答は、ＵＬグラント、ＴＡなどを含む。
【００７１】
＊Ｍｓｇ２−ＰＤＣＣＨ：ＲＡＲ  ＰＤＳＣＨに対応するＤＬグラントＰＤＣＣＨ（基地局＝＞端末）
４）Ｍｓｇ３（メッセージ３）：ＲＡＲ  ＰＤＳＣＨ内のＵＬグラントに基づくＰＵＳＣＨ（端末＝＞基地局）
前述したように、既存ＬＴＥ−ＡにはＰＣＣの属した一つのＴＡグループのみが存在する。そのため、ＵＬ同期のためにＰＣＣを基準に決定される、或いはＰＣＣに伴うランダムアクセス過程を通じて調整されるＴＡが、端末に設定された全てのＣＣに共通に適用される。ＰＣＣに伴うランダムアクセス過程がＰＤＣＣＨオーダーを用いる非競合ベースの方式である場合、各Ｍｓｇが送信されるＣＣ及びＰＤＣＣＨ検出のためのＳＳ（Ｓｅａｒｃｈ  Ｓｐａｃｅ）は、下記の通りである。
【００７２】
１）Ｍｓｇ０：ＰＣＣ上のＣＳＳ（Ｃｏｍｍｏｎ  ＳＳ）或いはＰＣＣスケジューリング用ＵＳＳ（ＵＥ−ｓｐｅｃｉｆｉｃ  ＳＳ）を通じてＤＬ送信
２）Ｍｓｇ１：ＰＣＣを通じてＵＬ送信
３−１）Ｍｓｇ２−ＰＤＣＣＨ：ＰＣＣ上のＣＳＳを通じてＤＬ送信（現在、ＬＴＥ（−Ａ）においてＲＡ−ＲＮＴＩを持つＰＤＣＣＨは、ＣＳＳのみを通じて送信することができる）
３−２）Ｍｓｇ２：ＰＣＣを通じてＤＬ送信
４）Ｍｓｇ３：ＰＣＣを通じてＵＬ送信
一方、次期システムは、ＳＣＣのみで構成されたＴＡＧ（すなわち、ＴＡＧ＿ＳＣＣ）について、ＵＬ同期のためにＴＡＧ＿ＳＣＣ内の特定ＳＣＣ（以下、ＲＡ−ＳＣＣ）を通じて（ＰＤＣＣＨオーダーを用いる非競合ベース）ランダムアクセス過程を行うことを許容することができる。便宜上、ＳＣＣ上でのＲＡＣＨプリアンブル送信を基盤とするランダムアクセス過程を、ＳＣＣランダムアクセス過程と称する。
【００７３】
図１２は、ＳＣＣランダムアクセス過程を例示する。ＳＣＣランダムアクセス過程に基づいて調整／決定されるＴＡは、ＴＡＧ＿ＳＣＣ内の全てのＣＣに共通に適用することができる。
【００７４】
図１２を参照すると、それぞれのＭｓｇが送信されるＣＣ及びＰＤＣＣＨ検出のためのＳＳを下記のように決定することができる。
【００７５】
１）Ｍｓｇ０：ＲＡ−ＳＣＣスケジューリングＣＣのＵＳＳを通じて基地局から端末に送信される（Ｓ１２０２）。非クロスＣＣスケジューリングの場合、該ＵＳＳはＲＡ−ＳＣＣ上に存在し、クロスＣＣスケジューリングの場合、該ＵＳＳは、ＲＡ−ＳＣＣをスケジューリングするように設定されたＭＣＣ（以下、ＲＡ−ＭＣＣ）上に存在できる。
【００７６】
２）Ｍｓｇ１：ＲＡ−ＳＣＣを通じて端末から基地局に送信される（Ｓ１２０４）。
【００７７】
３−１）Ｍｓｇ２−ＰＤＣＣＨ：ＰＣＣのＣＳＳを通じて基地局から端末に送信される（Ｓ１２０６）。Ｍｓｇ２−ＰＤＣＣＨ用ＤＣＩフォーマット（例、ＤＣＩフォーマット１Ａ）のＣＲＣは、ＲＡ−ＲＮＴＩでスクランブルされ、ＲＡ−ＲＮＴＩスクランブルはＣＳＳにのみ適用される。
【００７８】
３−２）Ｍｓｇ２：ＰＣＣを通じて基地局から端末に送信される（Ｓ１２０８）。
【００７９】
４）Ｍｓｇ３：ＲＡ−ＳＣＣを通じて端末から基地局に送信される（Ｓ１２１０）。
【００８０】
一方、ＳＣＣランダムアクセス過程においてＭｓｇ３に対するＰＨＩＣＨ応答が送信されるＣＣを決定する必要があることもある。これに関し、基地局がＭｓｇ３の受信／復号に失敗し、当該Ｍｓｇ３の再送信を指示するＵＬグラントＰＤＣＣＨを送信する状況を考慮できる。この場合、ＵＬグラントＰＤＣＣＨはＣ−ＲＮＴＩでスクランブルされ、元元ＲＡ−ＳＣＣをスケジューリングするように設定されたＣＣ上の当該ＲＡ−ＳＣＣスケジューリング用ＵＳＳを通じて送信されることが、クロスＣＣスケジューリングの観点で好ましいだろう。したがって、既存ＬＴＥ−Ａのように、ＰＵＳＣＨ送信関連ＤＬ制御チャネル（すなわち、ＵＬグラントＰＤＣＣＨ、及びこれに対応するＰＵＳＣＨに対するＰＨＩＣＨ）が同一ＣＣ上で送信されるように維持する方が、ＣＣ別並列処理の側面において基地局及び端末の両方にとってより効率的であるといえる。
【００８１】
したがって、本発明では、ＳＣＣランダムアクセス過程においてＲＡＲ  ＰＤＳＣＨを通じてスケジューリングされるＰＵＳＣＨ送信（すなわち、Ｍｓｇ３）に対するＰＨＩＣＨを、（ＲＡＲ  ＰＤＳＣＨ（及び／又はこれをスケジューリングするＰＤＣＣＨ）が送信されたＣＣではなく）当該ＰＵＳＣＨが送信されたＣＣ（すなわち、ＲＡ−ＳＣＣ）をスケジューリングするように設定されたＣＣ（ＲＡ−ＳＣＣスケジューリングＣＣ）を通じて送信／受信することを提案する。ここで、ＲＡ−ＳＣＣスケジューリングＣＣは、ＲＡ−ＳＣＣのためのＤＬ／ＵＬグラントＰＤＣＣＨを送信するように設定されたＣＣを意味する。換言すれば、ＲＡ−ＳＣＣスケジューリングＣＣは、ＲＡ−ＳＣＣのためのＰＤＣＣＨ（Ｃ−ＲＮＴＩ）をモニタリングすべきＣＣを意味することができる。非クロスキャリアスケジューリングにおいてＲＡ−ＳＣＣスケジューリングＣＣはＲＡ−ＳＣＣであり、クロスキャリアスケジューリングにおいてＲＡ−ＳＣＣスケジューリングＣＣはＲＡ−ＭＣＣである。ここで、ＲＡ−ＭＣＣはＰＣＣと異なることもある。要するに、（Ｍｓｇ３送信ＣＣに対して）クロスＣＣスケジューリングが適用される場合に、Ｍｓｇ３に対するＰＨＩＣＨが送信されるＣＣは、（上位層（例、ＲＲＣ（ＲａｄｉｏＲｅｓｏｕｒｃｅＣｏｎｔｒｏｌ）により）Ｍｓｇ３の送信されたＣＣをスケジューリングするように設定されたＣＣであってよい。非クロスＣＣスケジューリングが適用される場合、Ｍｓｇ３に対するＰＨＩＣＨが送信されるＣＣは、Ｍｓｇ３の送信されたＣＣであってよい。本提案は、ＵＬ送信がＰＤＣＣＨ（ＲＡ−ＲＮＴＩ）に対応する場合、該ＵＬ送信に関する受信応答情報は、（ＰＤＣＣＨ（ＲＡ−ＲＮＴＩ）が受信されたＣＣにかかわらず）ＰＤＣＣＨ（Ｃ−ＲＮＴＩ）をモニタリングするように設定されたＣＣで受信される内容と理解すればよい。一方、Ｍｓｇ３をスケジューリングするＭｓｇ２は任意のＣＣ（以下、ＣＣ１）を通じて送信／受信することができ、Ｍｓｇ２をスケジューリングするＭｓｇ２−ＰＤＣＣＨは、ＣＣ１スケジューリング用ＳＳを通じて送信／受信することができる。ここで、ＣＣ１はＰＣＣであり、ＣＣ１スケジューリング用ＳＳは、（ＰＣＣ上の）ＣＳＳであってよい。
【００８２】
本発明に係るＳＣＣランダムアクセス過程は、ＰＨＩＣＨ観点で下記の通りであってよい。基本過程は図１２と同一又は類似である。便宜上、Ｍｓｇ１の送信されるＣＣをＲＡ−ＳＣＣ、クロスＣＣスケジューリング時にＲＡ−ＳＣＣをスケジューリングするように設定されたＣＣをＲＡ−ＭＣＣ、Ｍｓｇ３送信に対するＰＨＩＣＨをＭｓｇ３−ＰＨＩＣＨ、と称する。Ｍｓｇ２の送信されるＣＣをＣＣ１と称する。
【００８３】
１）Ｍｓｇ０：ＲＡ−ＳＣＣスケジューリング用ＵＳＳを通じて送信することができる（基地局＝＞端末）。具体的に、Ｍｓｇ０（例、ＰＤＣＣＨオーダー）は、非クロスＣＣスケジューリングではＲＡ−ＳＣＣのＵＳＳを通じて送信し、クロスＣＣスケジューリングではＲＡ−ＭＣＣのＵＳＳを通じて送信することができる。
【００８４】
２）Ｍｓｇ１：ＲＡ−ＳＣＣを通じて送信することができる（端末＝＞基地局）。
【００８５】
２−１）Ｍｓｇ２−ＰＤＣＣＨ：ＣＣ１スケジューリング用ＳＳを通じて送信することができる（基地局＝＞端末）。具体的に、Ｍｓｇ２−ＰＤＣＣＨは、非クロスＣＣスケジューリングでは、ＣＣ１のＳＳを通じて送信し、クロスＣＣスケジューリングでは、ＣＣ１をスケジューリングするように設定されたＣＣのＳＳを通じて送信することができる。ここで、ＣＣ１はＰＣＣであり、ＳＳは、（ＰＣＣ上の）ＣＳＳであってよい。
【００８６】
２−２）Ｍｓｇ２：ＣＣ１を通じて送信することができる（基地局＝＞端末）。ＣＣ１はＰＣＣであってよい。
【００８７】
３）Ｍｓｇ３：ＲＡ−ＳＣＣを通じて送信することができる（端末＝＞基地局）。
【００８８】
４）Ｍｓｇ３−ＰＨＩＣＨ：ＲＡ−ＳＣＣをスケジューリングするように設定されたＣＣを通じて送信することができる（基地局＝＞端末）。具体的に、Ｍｓｇ３−ＰＨＩＣＨは、非クロスＣＣスケジューリングではＲＡ−ＳＣＣを通じて送信し、クロスＣＣスケジューリングではＲＡ−ＭＣＣを通じて送信することができる。
【００８９】
提案によれば、Ｍｓｇ３はＭｓｇ２によってスケジューリングされても、Ｍｓｇ３に対するＰＨＩＣＨは、Ｍｓｇ３の送信されるＣＣをスケジューリングするように（すなわち、該ＣＣをスケジューリングするＤＬ／ＵＬグラントＰＤＣＣＨを送信するように）設定されたＣＣを通じて送信される。そのため、Ｍｓｇ３をスケジューリングするＭｓｇ２が送信されるＣＣとＭｓｇ３に対するＰＨＩＣＨが送信されるＣＣとが異なることがある。例えば、非クロスＣＣスケジューリング状況においてＣＣ１がＰＣＣと同一である場合を仮定すれば、Ｍｓｇ３をスケジューリングするＭｓｇ２はＰＣＣを通じて送信する一方、Ｍｓｇ３に対するＰＨＩＣＨは、ＰＣＣではなくＲＡ−ＳＣＣを通じて送信することができる。
【００９０】
他の方法として、Ｍｓｇ３に対するＰＨＩＣＨを、（Ｍｓｇ２の送信される）ＣＣ１（例、ＰＣＣ）を通じて送信する方案も考慮できる。この方法は、ＲＲＣシグナリングによってＲＡ−ＳＣＣが割り当てられた後、ＲＡ−ＳＣＣに関する最初のランダムアクセス過程を行う時（或いは、長時間不活性化されてから活性化された直後にＲＡ−ＳＣＣに関するランダムアクセス過程を行う時）、ＲＡ−ＳＣＣに対するＤＬ同期が安定化していない状況においてより適するだろう。
【００９１】
上述した方式は、基地局からの（ＰＤＣＣＨオーダーによる）別の指示無しに、端末が任意にＳＣＣを通じたＲＡＣＨプリアンブル送信によって起動する競合ベースＳＣＣランダムアクセス過程におけるＭｓｇ３−ＰＨＩＣＨ送信にも同様に適用することができる。
【００９２】
一方、Ｍｓｇ３送信、Ｍｓｇ３−ＰＨＩＣＨ送信両方とも、ＰＣＣを通じて行われる既存ランダムアクセス過程とは違い、本提案によるＳＣＣランダムアクセス過程では（特に、ＲＡ−ＳＣＣにクロスＣＣスケジューリングが設定された場合）Ｍｓｇ３送信ＣＣ（すなわち、ＲＡ−ＳＣＣ）とＭｓｇ３−ＰＨＩＣＨ送信ＣＣ（すなわち、ＲＡ−ＭＣＣ）は互いに異なることがあり、両ＣＣのＵＬ帯域幅（例、ＲＢ数）も互いに異なることがある。一方、本提案によるランダムアクセス過程以外の、一般のクロスＣＣスケジューリング状況でもＰＵＳＣＨとこれに対するＰＨＩＣＨは、互いに異なるＣＣ（すなわち、ＳＣＣとこれをスケジューリングするように設定されたＭＣＣ）を通じて送信されてもよく、これら両ＣＣのＵＬ帯域幅（例、ＲＢ数）も互いに異なってもよい。一方、ＰＨＩＣＨリソースインデックスは、ＰＵＳＣＨ送信に用いられる最初のＲＢインデックスに基づいて与えられるため、複数ＣＣにおいて同じＲＢインデックスで始まるＰＵＳＣＨ送信が同時に行われる場合、複数ＰＵＳＣＨに対するＰＨＩＣＨリソースが衝突することがある。これを防止するために、ＵＬグラントＰＤＣＣＨ内のＤＭＲＳ  ＣＳ（Ｄｅｍｏｄｕｌａｔｉｏｎ  Ｒｅｆｅｒｅｎｃｅ  Ｓｉｇｎａｌ  Ｃｙｃｌｉｃ  Ｓｈｉｆｔ）を適宜割り当て、それに基づいてＰＨＩＣＨリソースにオフセットを適用することでＰＨＩＣＨリソース衝突問題を解決することを考慮できる。しかし、ランダムアクセス過程では、Ｍｓｇ３をスケジューリングするＲＡＲ  ＰＤＳＣＨ（Ｍｓｇ２）内のＵＬグラント情報にＤＭＲＳ  ＣＳ（或いは、これに相応するＰＨＩＣＨオフセット関連情報）が含まれない。そのため、一般ＰＵＳＣＨとＭｓｇ３間のＰＨＩＣＨリソース衝突を回避するにはＵＬスケジューリング制約及び遅延が不可避となることがある。
【００９３】
このような問題を解消するために、ランダムアクセス過程の場合、ＰＵＳＣＨ（Ｍｓｇ３）送信に対するＰＨＩＣＨ（Ｍｓｇ３−ＰＨＩＣＨ）リソースを決定／変更する情報（例、ＤＭＲＳ  ＣＳ、或いはこれに相応するＰＨＩＣＨオフセット関連情報）を、ＲＡＲ  ＰＤＳＣＨ（Ｍｓｇ２）或いはこれをスケジューリングするＰＤＣＣＨ（Ｍｓｇ２−ＰＤＣＣＨ）を用いてシグナリングすることを提案する。具体的に、次の方式を考慮することができる。
【００９４】
（１）Ｍｓｇ２−ＰＤＳＣＨ（ＲＡＲ）を用いてＤＭＲＳ  ＣＳ（或いは、ＰＨＩＣＨオフセット）を知らせる方式
Ｍｓｇ３送信及びＭｓｇ３−ＰＨＩＣＨリソース決定のためのＤＭＲＳ  ＣＳ（或いはＰＨＩＣＨオフセット）情報を、ｉ）既存Ｍｓｇ２−ＰＤＳＣＨ（ＲＡＲ）内のＵＬグラントサイズをそのまま維持しながら、当該ＵＬグラントを構成するフィールドの一部を借用して知らせたり、或いは、ｉｉ）Ｍｓｇ２−ＰＤＳＣＨ（ＲＡＲ）内のＵＬグラントに、当該ＤＭＲＳ  ＣＳ又はＰＨＩＣＨオフセット情報を明示的に知らせるフィールドを新しく追加することができる。
【００９５】
（２）Ｍｓｇ２−ＰＤＣＣＨを用いてＤＭＲＳ  ＣＳ（或いは、ＰＨＩＣＨオフセット）を知らせる方式
Ｍｓｇ３送信及びＭｓｇ３−ＰＨＩＣＨ決定のためのＤＭＲＳ  ＣＳ（或いはＰＨＩＣＨオフセット）情報を、Ｍｓｇ２−ＰＤＣＣＨ内の特定フィールド（例、予備（ｒｅｓｅｒｖｅｄ）フィールド）を借用して知らせる方式を考慮できる。好ましくは、Ｍｓｇ２−ＰＤＣＣＨで送信されるＤＣＩフォーマット１Ａ内の３ビットＨＡＲＱ番号フィールドを借用してＤＭＲＳ  ＣＳ（或いは、ＰＨＩＣＨオフセット）情報をシグナリングすることができる。Ｍｓｇ２−ＰＤＳＣＨにはＨＡＲＱが適用されないから、Ｍｓｇ２−ＰＤＣＣＨ（ＤＣＩフォーマット１Ａ）内の３ビットＨＡＲＱ番号フィールドを借用すればよい。
【００９６】
上記の提案方式は、ＳＣＣを通じてＲＡＣＨプリアンブルを送信することを基盤とする競合及び非競合ベースＳＣＣランダムアクセス過程の他、ＰＣＣを通じてＲＡＣＨプリアンブルを送信することを基盤とする競合及び非競合ベースＰＣＣランダムアクセス過程にも、同一／類似に適用することができる。
【００９７】
図１３は、ＳＣＣランダムアクセス過程においてＭｓｇ３に対するＰＨＩＣＨ送信方案を例示する。本例は、図１２においてＰＨＩＣＨに関連した部分を中心に記述しており、特に言及しない限り、各段階には前述の内容を適用できる。
【００９８】
図１３を参照すると、ＳＣＣランダムアクセス過程はＰＨＩＣＨ観点で次の通りであってもよい。便宜上、Ｍｓｇ２−ＰＤＳＣＨの送信されるＣＣをＭｓｇ２−ＣＣ（上では、ＣＣ１と例示）、Ｍｓｇ３の送信されるＣＣをＲＡ−ＳＣＣ、クロスＣＣスケジューリング時にＲＡ−ＳＣＣをスケジューリングするように設定されたＣＣをＲＡ−ＭＣＣ、Ｍｓｇ３送信に対するＨＡＲＱ−ＡＣＫ応答をＡＣＫ／ＮＡＣＫ（或いは、Ｍｓｇ３−ＰＨＩＣＨ）と称する。ＨＡＲＱ−ＡＣＫ応答は、ＡＣＫ、ＮＡＣＫ、ＤＴＸ、又はＮＡＣＫ／ＤＴＸを含むことができる。
【００９９】
２−１）Ｍｓｇ２−ＰＤＣＣＨ：Ｍｓｇ２−ＣＣスケジューリング用ＳＳを通じて送信することができる（基地局＝＞端末）（図示せず）。Ｍｓｇ２−ＰＤＣＣＨは、Ｍｓｇ２−ＰＤＳＣＨを受信するために必要なＤＬグラント情報を含む。非クロスＣＣスケジューリングではＭｓｇ２−ＰＤＣＣＨをＭｓｇ２−ＣＣのＳＳを通じて送信し、クロスＣＣスケジューリングでは、Ｍｓｇ２−ＰＤＣＣＨを、Ｍｓｇ２−ＣＣをスケジューリングするように設定されたＣＣのＳＳを通じて送信することができる。ここで、Ｍｓｇ２−ＣＣはＰＣＣであり、ＳＳは（ＰＣＣ上の）ＣＳＳであってよい。
【０１００】
２−２）Ｍｓｇ２−ＰＤＳＣＨ：Ｍｓｇ２−ＣＣを通じて送信することができる（基地局＝＞端末）（Ｓ１３０２）。Ｍｓｇ２−ＣＣはＰＣＣであってよい。Ｍｓｇ２−ＰＤＳＣＨはＵＬグラント情報を含む。
【０１０１】
＊Ｍｓｇ２−ＰＤＣＣＨ／ＰＤＳＣＨには、ＲＡ−ＳＣＣを指示するＣＣ識別情報が含まれなくてもよい。ただし、１度に１つのランダムアクセス過程のみが存在するため、端末はＲＡＣＨプリアンブルの送信されたＣＣに基づき、Ｍｓｇ２−ＰＤＳＣＨ内のＵＬグラントが適用されるＣＣを確認することができる。例えば、Ｍｓｇ２−ＰＤＳＣＨ内のＵＬグラントが適用されるＣＣは、ＲＡＣＨプリアンブルの送信されたＣＣ（すなわち、ＰＣＣ又はＲＡ−ＳＣＣ）であってよい。
【０１０２】
３）Ｍｓｇ３−ＰＵＳＣＨ：ＲＡ−ＳＣＣを通じて送信することができる（端末＝＞基地局）（Ｓ１３０４）。
【０１０３】
４−１：オプションａ）Ｍｓｇ３−ＰＨＩＣＨ：ＲＡ−ＳＣＣをスケジューリングするように設定されたＣＣを通じて送信することができる（基地局＝＞端末）（Ｓ１３０６ａ）。具体的に、Ｍｓｇ３−ＰＨＩＣＨは、非クロスＣＣスケジューリングではＲＡ−ＳＣＣを通じて送信し、クロスＣＣスケジューリングではＲＡ−ＭＣＣを通じて送信することができる。ＲＡ−ＭＣＣはＭｓｇ２−ＣＣ（例、ＰＣＣ）と異なることもある。Ｍｓｇ３の再送信を指示するＵＬグラントＰＤＣＣＨが送信される状況を考慮する場合、（再送信）ＵＬグラントＰＤＣＣＨはＣ−ＲＮＴＩでスクランブルされ、元元ＲＡ−ＳＣＣをスケジューリングするように設定されたＣＣを通じて送信されるはずであるため、（再送信）ＵＬグラントＰＤＣＣＨとＭｓｇ３−ＰＨＩＣＨが同一ＣＣで送信される方が、ＣＣ別並列処理側面で好ましいだろう。
【０１０４】
４−２：オプションｂ）Ｍｓｇ３−ＰＨＩＣＨ：Ｍｓｇ２−ＣＣを通じて送信することができる（基地局＝＞端末）（Ｓ１３０６ｂ）。このオプションは、ＲＡ−ＳＣＣ及び／又はＲＡ−ＭＣＣのＤＬ同期が安定化していない状況に適するだろう。実現方式によって、このオプションは、ＲＡ−ＳＣＣに関する最初のランダムアクセス過程を行う時（或いは、長時間不活性化されてから活性化された直後にＲＡ−ＳＣＣに関するランダムアクセス過程を行う時）にのみ一時に適用することも考慮できる。
【０１０５】
図１４は、本発明の一例に係るＰＨＩＣＨ送信過程を例示する。図１４は、ランダムアクセス過程と非ランダムアクセス過程を含む一般化した例を示している。
【０１０６】
図１４を参照すると、端末は基地局からＵＬリソース割当情報をＣＣ１を通じて受信する（Ｓ１４０２）。ＣＣ１はＰＣＣを含む。非ランダムアクセス過程の場合、ＵＬリソース割当情報は、Ｃ−ＲＮＴＩを持つＰＤＣＣＨを通じて送信される。一方、ランダムアクセス過程の場合、ＵＬリソース割当情報は、ランダムアクセス応答メッセージ（ＰＤＳＣＨ）を通じて送信され、該ＰＤＳＣＨはＲＡ−ＲＮＴＩを持つＰＤＣＣＨによって指示される。以降、端末はＵＬリソース割当情報を用いてＵＬ送信をＣＣ２上で行うことができる（Ｓ１４０４）。ＣＣ２はＳＣＣであってよい。非ランダムアクセス過程の場合、ＣＣ２は、ＵＬ割当情報内のＣＩＦフィールド値を用いて指示されてもよく（クロスＣＣスケジューリング）、又はＣＣ１と同一であってもよい（非クロスＣＣスケジューリング）。一方、ランダムアクセス過程の場合、ＣＣ２は、ランダムアクセスプリアンブルの送信されたＣＣである。以降、端末はＵＬ送信に対する受信応答情報をＰＨＩＣＨを通じて受信することができる（Ｓ１４０６〜Ｓ１４０８）。ＵＬ送信が非ランダムアクセス過程によって行われた場合、受信応答情報はＣＣ１（すなわち、ＵＬ割当情報の受信されたＣＣ）を通じて受信される（ケース１）（Ｓ１４０６）。一方、ＵＬ送信がランダムアクセス過程によって行われた場合（すなわち、Ｍｓｇ３送信）、受信応答情報はＣＣ２−スケジューリングＣＣ（すなわち、ＲＡ−ＭＣＣ）を通じて受信される（ケース２）（Ｓ１４０８）。ＲＡ−ＭＣＣは、ＣＣ２であってもよく、ＣＣ２−スケジューリングのために設定された他のＣＣ（例、ＳＣＣ）であってもよい。ＣＣ１とＣＣ２−スケジューリングＣＣ（すなわち、ＲＡ−ＭＣＣ）は異なってもよい。
【０１０７】
図１５は、本発明に適用することができる基地局及び端末を例示する。
【０１０８】
図１５を参照すると、無線通信システムは、基地局（ＢＳ）１１０及び端末（ＵＥ）１２０を含む。無線通信システムがリレーを含む場合、基地局又は端末はリレーに代えてもよい。
【０１０９】
基地局１１０は、プロセッサ１１２、メモリ１１４及び無線周波（ＲＦ）ユニット１１６を含む。プロセッサ１１２は、本発明で提案した手順及び／又は方法を具現するように構成することができる。メモリ１１４は、プロセッサ１１２に接続し、プロセッサ１１２の動作と関連した様々な情報を記憶する。ＲＦユニット１１６は、プロセッサ１１２に接続し、無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成することができる。メモリ１２４は、プロセッサ１２２に接続し、プロセッサ１２２の動作と関連した様々な情報を記憶する。ＲＦユニット１２６は、プロセッサ１２２に接続し、無線信号を送信及び／又は受信する。
【０１１０】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含めることもでき、別の実施例の対応する構成又は特徴に置き換えることもできる。特許請求の範囲において明示的な引用関係にない請求項を結合して実施例を構成したり、出願後の補正によって新しい請求項として含めたりできることは明らかである。
【０１１１】
本文書において、本発明の実施例は主として端末と基地局との間のデータ送受信関係を中心に説明されている。このような送受信関係は、端末とリレーとの間、又は基地局とリレーとの間の信号送受信にも同一／類似に拡張される。本文書において基地局によって行われるとした特定動作は、場合によっては、その上位ノード（ｕｐｐｅｒ  ｎｏｄｅ）によって行われてもよい。すなわち、基地局を含む複数のネットワークノードからなるネットワークにおいて端末との通信のために行われる様々な動作は、基地局又は基地局以外の別のネットワークノードによって実行できることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替してもよい。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替してもよい。
【０１１２】
本発明に係る実施例は、様々な手段、例えば、ハードウェア、ファームウェア（ｆｉｒｍ  ｗａｒｅ）、ソフトウェア、又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１１３】
ファームウェアやソフトウェアによる具現の場合、本発明の一実施例は、以上で説明された機能又は動作を実行するモジュール、手順、関数などの形態で具現することができる。ソフトウェアコードは、メモリーユニットに保存され、プロセッサによって駆動することができる。メモリーユニットはプロセッサの内部又は外部に設けられ、既に公知の様々な手段によってプロセッサとデータを交換することができる。
【０１１４】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【０１１５】
本発明は、無線移動通信システムの端末機、基地局、又はその他の装備に用いることができる。
【図１】
0005996721.tif 000005
【図２】
0005996721.tif 000006
【図３】
0005996721.tif 000007
【図４】
0005996721.tif 000008
【図５】
0005996721.tif 000009
【図６Ａ】
0005996721.tif 000010
【図６Ｂ】
0005996721.tif 000011
【図７】
0005996721.tif 000012
【図８】
0005996721.tif 000013
【図９】
0005996721.tif 000014
【図１０】
0005996721.tif 000015
【図１１】
0005996721.tif 000016
【図１３】
0005996721.tif 000017
【図１４】
0005996721.tif 000018
【図１５】
0005996721.tif 000019
【図１２】
0005996721.tif 000020